(57)【要約】【課題】  段差部との間に通行の障害となる隙間が形成されることなく、段差に応じて無断階にスロープを形成することが可能な段差通路を提供する。【解決手段】  段差通路１０は、上段面１１に対して低い段差の下段面１２に配置され、下段面１２と上段面１１との間にスロープを形成する。段差通路１０は、下段面１２に配置される長方形の台座１４と、台座１４の一端部１４ａで基端部１５ａで回動自在に装着される本体部１７を備える布板１５と、台座１４に対する布板１５の傾斜角度を調節する伸縮機構１６とを有している。本体部１７の先端には台座１４の他端面１４ｂよりも突出して設けられ高い面に重なる積層部１８が設けられており、積層部１８は段差部１３の上段面１１に架け渡されている。【選択図】    図１
2005207145.tif 000002
【特許請求の範囲】
【請求項１】
上段面に対して低い段差の下段面に配置され、前記下段面と前記上段面との間にスロープを形成する段差通路であって、
前記下段面に配置される長方形の台座と、
前記台座の一端部に基端部で回動自在に装着される本体部を備える布板と、
前記本体部に回動自在に装着される第１の伸縮部材、前記台座に回動自在に装着されるとともに前記第１の伸縮部材に対して軸方向に移動自在の第２の伸縮部材、および一方の前記伸縮部材にネジ結合され２つの前記伸縮部材からなる軸方向長さを変化させるネジ部材を有する伸縮機構とを有し、
段差に応じて前記布板の傾斜角度を変化させることを特徴とする段差通路。
【請求項２】
請求項１記載の段差通路において、前記本体部の先端には前記台座の他端面よりも突出して設けられ高い面に重なる積層部が形成されていることを特徴とする段差通路。
【請求項３】
請求項１または２記載の段差通路において、前記積層部を前記本体部に対して水平方向下向きに折り曲げることを特徴とする段差通路。
【請求項４】
請求項１〜３のいずれか１項に記載の段差通路において、前記第２の伸縮部材は雄ネジであり、前記第１の伸縮部材は前記雄ネジが摺動自在に挿入される収容部材であり、前記ネジ部材は前記雄ネジにネジ結合されるナットであることを特徴とする段差通路。
【請求項５】
請求項１〜４のいずれか１項に記載の段差通路において、前記台座の一端部に前記本体部に隣接して固定傾斜板を取り付けるとともに前記固定傾斜板の端部に水平方向に折り曲げられる折り曲げ部を設けることを特徴とする段差通路。
【請求項６】
請求項１〜５のいずれか１項に記載の段差通路において、前記下段面に配置されるとともに前記台座を支持する架台を有し、複数の段差通路を一直線上に連ねて配置することを特徴とする段差通路。
【発明の詳細な説明】
【技術分野】
【０００１】
本発明は段差部にスロープを形成するための段差通路に関する。
【背景技術】
【０００２】
工事現場や農作業現場などの作業現場において、段差のある箇所つまり段差部は、資材の移送作業を始めとして種々の作業を円滑に行なう上での障害となる。たとえば、手押し一輪車を用いて重量物を運搬する場合には、段差部を乗り越える作業は肉体的な負担が大きく、バランスを崩して落としかねない。一般に、段差部を越える必要がある場合に、その都度、高低差に応じて重量物を持ち上げて移送するのでは大変な労苦をともなう上、足元に段差があればその分だけつまずき易く危険である。そのため、通常は、必要に応じて段差部に傾斜面つまりスロープを形成することによって、これらの問題を解消している。
【発明の開示】
【発明が解決しようとする課題】
【０００３】
作業現場における段差部にスロープを形成する方法には傾斜状に土砂を盛り固めてスロープを形成する方法があるが、屋内での使用には不適当である上、所定の作業終了後には盛土を撤去する作業が煩雑である。また、所定の傾斜角度に固定された断面三角形状の金属製スロープ台を段差部に当接させてスロープを形成する方法があるが、この場合には、段差部との間に通行の障害となる隙間が生じることや段差に応じて高さ調節できないことが問題となっていた。
【０００４】
本発明の目的は、段差部との間に通行の障害となる隙間が形成されることなく、段差に応じて無断階にスロープを形成することが可能な段差通路を提供することにある。
【課題を解決するための手段】
【０００５】
本発明の段差通路は、上段面に対して低い段差の下段面に配置され、前記下段面と前記上段面との間にスロープを形成する段差通路であって、前記下段面に配置される長方形の台座と、前記台座の一端部に基端部で回動自在に装着される本体部を備える布板と、前記本体部に回動自在に装着される第１の伸縮部材、前記台座に回動自在に装着されるとともに前記第１の伸縮部材に対して軸方向に移動自在の第２の伸縮部材、および一方の前記伸縮部材にネジ結合され２つの前記伸縮部材からなる軸方向長さを変化させるネジ部材を有する伸縮機構とを有し、段差に応じて前記布板の傾斜角度を変化させることを特徴とする。
【０００６】
本発明の段差通路は、前記本体部の先端には前記台座の他端面よりも突出して設けられ高い面に重なる積層部が形成されていることを特徴とする。
【０００７】
本発明の段差通路は、前記積層部を前記本体部に対して水平方向下向きに折り曲げることを特徴とする。
【０００８】
本発明の段差通路は、前記第２の伸縮部材は雄ネジであり、前記第１の伸縮部材は前記雄ネジが摺動自在に挿入される収容部材であり、前記ネジ部材は前記雄ネジにネジ結合されるナットであることを特徴とする。
【０００９】
本発明の段差通路は、前記台座の一端部に前記本体部に隣接して固定傾斜板を取り付けるとともに前記固定傾斜板の端部に水平方向に折り曲げられる折り曲げ部を設けることを特徴とする。
【００１０】
本発明の段差通路は、前記下段面に配置されるとともに前記台座を支持する架台を有し、複数の段差通路を一直線上に連ねて配置することを特徴とする。
【発明の効果】
【００１１】
本発明によれば、自在に伸縮する伸縮機構によって無断階に布板の傾斜角度を変化させることにより、段差部の段差に応じてスロープを形成することができる。
【００１２】
本発明によれば、第２の伸縮部材にネジ結合されるネジ部材の締結位置を変化させるという簡易な作業により、布板の傾斜角度に対応して変化する第２の伸縮部材の挿入量を容易に保持することができ、布板を所定の傾斜角度で容易に保持することができる。
【００１３】
本発明によれば、布板の積層部を本体部に対して水平方向下向きに折り曲げるとともに、当該積層部を段差部の上段面に架け渡すことによって、上段面と段差通路との間に通行の障害となる隙間を生じさせないようにすることができる。
【００１４】
本発明によれば、台座の一端部に本体部に隣接して固定傾斜板を取り付けるとともに当該固定傾斜板の端部に水平方向に折り曲げられる折り曲げ部を設けることによって、下段面と段差通路との間に通行の障害となる隙間を生じさせないようにすることができる。
【００１５】
本発明によれば、下段面に配置されるとともに台座を支持する架台を用いることによって、複数の段差通路を一直線上に連ねて配置することができ、これにより、例えば高低差の大きな段差部にもスロープを形成することができる。
【発明を実施するための最良の形態】
【００１６】
以下、本発明の実施の形態を図面に基づいて詳細に説明する。
【００１７】
図１は段差通路の一実施の形態を示す斜視図である。本発明の段差通路１０は上段面１１に対して低い段差の下段面１２に配置され、上段面１１と下段面１２とにより構成される段差部１３に傾斜面つまりスロープを形成することができる。段差通路１０は、下段面１２に配置される長方形の台座１４と、同じく長方形の布板１５と、台座１４に対する布板１５の傾斜角度を調節する伸縮機構１６とを有している。布板１５は、台座１４の一端部１４ａに基端部１７ａで回動自在に装着される本体部１７、および本体部１７の先端に台座１４の他端面１４ｂよりも突出して設けられ高い面に重なる積層部１８を備えている。一方、台座１４の一端部１４ａには本体部１７に隣接して固定傾斜板１９が取り付けられるとともに、固定傾斜板１９の端部には水平方向に折り曲げられる折り曲げ部２０が設けられている。本発明の段差通路１０にあっては、折り曲げ部２０、固定傾斜板１９、本体部１７、および積層部１８によりスロープ面を形成することができる。なお、布板１５の面上には滑り止めのための凹凸模様が施されており、台座１４の所定の箇所には持ち運びの利便性を高めるための掴み金具２１が設けられているが、凹凸模様や掴み金具２１は省略することも可能である。
【００１８】
図２は図１に示すＡ−Ａ線に沿う方向の縦断面図である。図示するように、台座１４の一端部１４ａには支持棒２２が取り付けられており、布板１５はこの支持棒２２を回転支点として回転自在に装着されており、台座１４に当接する水平位置から矢印で示す方向に所定の角度の範囲内で回動可能となっている。
【００１９】
伸縮機構１６は、本体部１７に回動自在に装着される第１の伸縮部材２３、台座１４に装着されるとともに第１の伸縮部材２３に対して軸方向に移動自在の第２の伸縮部材２４、および一方の伸縮部材２３，２４にネジ結合され２つの伸縮部材２３，２４からなる軸方向長さを変化させるネジ部材２５とを有している。図示する場合にあっては、第２の伸縮部材２４は雄ネジ２４ａであり、第１の伸縮部材２３は雄ネジ２４ａが摺動自在に挿入される収容部材２３ａであり、ネジ部材２５は雄ネジ２４ａにネジ結合されるナット２５ａである。かかる構成の伸縮機構１６にあっては、雄ネジ２４ａに対するナット２５ａの締結位置を変化させるという簡易な作業により収容部材２３ａに対する雄ネジ２４ａの挿入量を変化させることができ、収容部材２３ａの一端部がナット２５ａに当接することにより布板１５の傾斜角度αを保持することができるようになっている。収容部材２３ａに対する雄ネジ２４ａの挿入量が小さいほど布板１５の傾斜角度αは大きくなり、所定の傾斜角度αに保持された布板１５は、ナット２５ａをネジ回してその締結位置を最下端部に変化させることによって容易に水平位置に戻すことができる。
【００２０】
このような段差通路１０を用いることによって、人力により段差部１３にスロープを形成することができる。具体的には、掴み金具２１等を把持して下段面１２の所定の位置に台座１４を配置し、次いで、積層部１８等を掴み部として布板１５の積層部１８を上段面１１に架け渡す。そうすると、収容部材２３ａに対する雄ネジ２４ａの挿入量が布板１５の傾斜角度αに対応して小さくなるので、ナット２５ａを雄ネジ２４ａの一端部に当接する締結位置にまで変化させ、手を離しても傾斜角度αが保持される状態とする。
【００２１】
連続的に変化する収容部材２３ａに対する雄ネジ２４ａの挿入量に対して、雄ネジ２４ａにネジ結合されるナット２５ａの位置を連続的に変化させることができるので、布板１５の傾斜角度αを無断階で調整することが可能となる。つまり、段差に応じて自在に伸縮する伸縮機構１６によって、無断階にスロープを形成することができる。また、布板１５に設けられる積層部１８を上段面１１に架け渡すことによって、段差部１３と段差通路１０との間に通行の障害となる隙間を生じさせないようにすることができる。また、台座１４の一端部には折り曲げ部２０が設けられる固定傾斜板１９が取り付けられているので、下段面１２と段差通路１０との間に通行の障害となる隙間を生じさせないようにすることができる。
【００２２】
段差部に緩やかなスロープを形成する場合や、高低差の大きな段差部にスロープを形成する場合には、複数の段差通路１０を一直線上に連ねてスロープを形成することも可能である。図３は台座を支持する架台の一実施の形態を示す斜視図であり、図４は複数の段差通路を連ねてスロープを形成した状態の一実施の形態を示す斜視図である。
【００２３】
架台２６は、複数の段差通路１０を一直線上に連ねてスロープを形成する場合に使用される長方形の枠体であり、台座１４を支持するために用いられる。架台２６上面の所定の箇所には固定ピン２７が複数設けられており、これらの固定ピン２７の配設位置対応して、台座１４の底面には固定ピン２７が挿入される取付け孔２８が複数穿設されている。固定ピン２７は、段差通路１０を架台２６の上に載せる際には位置決めに使用されるとともに、段差通路１０が架台２６から外れ落ちるのを防止している。
【００２４】
図４に示されるように、架台２６に支持される上段側の段差通路１０ａを構成する積層部１８ａが段差部１３ａの上段面に架け渡されており、下段側の段差通路１０ｂを構成する積層部１８ｂが架台２６に架け渡されている。このように複数の段差通路１０ａ，１０ｂを一直線上に連ねてスロープを形成することによって、高低差の大きな段差部１３ａに傾斜角度の小さなつまり緩やかなスロープを形成することができる。図４に示されるように、段差通路１０は水平方向にも隣接して配置することができるので、形成されるスロープの幅を大きくすることも可能である。
【００２５】
本発明は前記実施の形態に限定されるものではなく、その要旨を逸脱しない範囲で種々変更が可能である。たとえば、第１の伸縮部材２３が収容部材２３ａであり、第２の伸縮部材２４が雄ネジ２４ａであることは一実施の形態に過ぎず、第１の伸縮部材２３を雄ネジとし、第２の伸縮部材２４を収容部材としても良い。また、段差通路１０を構成する伸縮機構１６を複数設けて複数の伸縮機構１６により布板１５を支持するようにしても良い。段差通路１０を構成する構成部材のそれぞれは溶接、リベット止めやビス止めなど種々の方法により組み付けることができる。
【図面の簡単な説明】
【００２６】
【図１】段差通路の一実施の形態を示す斜視図である。
【図２】図１に示すＡ−Ａ線に沿う方向の縦断面図である。
【図３】台座を支持する架台の一実施の形態を示す斜視図である。
【図４】複数の段差通路を連ねてスロープを形成した状態の一実施の形態を示す斜視図である。
【符号の説明】
【００２７】
１０  段差通路
１１  上段面
１２  下段面
１３  段差部
１４  台座
１５  布板
１６  伸縮機構
１７  本体部
１８  積層部
１９  固定傾斜板
２０  折り曲げ部
２１  掴み金具
２２  支持棒
２３  第１の伸縮部材
２３ａ  収容部材
２４  第２の伸縮部材
２４ａ  雄ネジ
２５  ネジ部材
２５ａ  ナット
２６  架台
２７  固定ピン
２８  取付け孔
α  傾斜角度
【図１】
2005207145.tif 000003
【図２】
2005207145.tif 000004
【図３】
2005207145.tif 000005
【図４】
2005207145.tif 000006